(57)【要約】      （修正有）【課題】カラオケ演奏終了後のカラオケ装置のモニタ画面を有効活用する。【解決手段】楽曲の歌唱時に歌詞や背景映像等を画面で表示することができるネットワークカラオケシステムにおいて、歌唱終了後、楽曲から独立した条件（歌唱得点、時刻、季節など）に従って特定の映像或いはメッセージの少なくとも一つを表示する。【選択図】図４
2016212359.tif 000002
【特許請求の範囲】
【請求項１】
楽曲の歌唱時に歌詞や背景映像等を画面で表示することができるネットワークカラオケシステムにおいて、
楽曲歌唱後に、当該楽曲に係る情報をお知らせする手段を備えたことを特徴とするネットワークカラオケシステム。
【請求項２】
楽曲の歌唱時に歌詞や背景映像等を画面で表示することができ、各楽曲データの属性情報をデータベースで管理するネットワークカラオケシステムにおいて、
歌唱終了後、当該楽曲の楽曲データの特定の条件に従って特定の映像或いはメッセージの少なくとも一つを表示することを特徴とする請求項１記載のネットワークカラオケシステム。
【請求項３】
楽曲の歌唱時に歌詞や背景映像等を画面で表示することができるネットワークカラオケシステムにおいて、
歌唱終了後に楽曲から独立した条件（歌唱得点、時刻、季節など）に従って特定の映像或いはメッセージの少なくとも一つを表示することを特徴とする請求項１記載のネットワークカラオケシステム。
【請求項４】
請求項１のネットワークカラオケシステムにおいて、
歌唱終了後に、請求項２記載の楽曲の楽曲データの特定の条件と、請求項３記載の楽曲から独立した条件（歌唱得点、時刻、季節など）を組み合わせた条件に従って特定の映像或いはメッセージの少なくとも一つを表示することを特徴とする請求項１記載のネットワークカラオケシステム。
【発明の詳細な説明】
【技術分野】
【０００１】
本発明は、カラオケ歌唱時に、利用者に歌唱楽曲に関する情報提供を行う技術に関するものである。
【背景技術】
【０００２】
近年のカラオケでは、表示装置や通信技術の発展により背景映像が多様化し、利用者に対して種々のサービスを提供することができるようになっており、見るだけでも楽しむことができるカラオケが増えている。
このようなカラオケシステムにおいては、歌唱楽曲の背景映像を利用して宣伝効果の高い広告映像の提供が可能となっている。
【０００３】
しかし、たとえば歌唱していない時間の画面では、特に意味のない背景映像がＢＧＭとともにフィラーのような形で放映されるケースが多いなど、必ずしも映像機能が有効に活用されているとはいいにくい。
従来、カラオケシステムにおける広告映像は、単に商品等を表示させるものが一般的である。
【０００４】
これに対し、カラオケの映像を広告宣伝に積極的に活用しようという試みが各社から行われている。
【先行技術文献】
【特許文献】
【０００５】
【特許文献１】特開平８−２３４７８１号公報
【特許文献２】特開２００７−２７１９０５号公報
【発明の概要】
【発明が解決しようとする課題】
【０００６】
特許文献１は、ＣＭ使用曲がリクエストされた場合に、演奏曲と関連する広告映像データが広告映像データ記憶手段に記憶されており、その広告映像データに基づく広告映像が広告映像表示手段に適宜表示される。ここで、演奏曲と広告映像はイメージデータにより結び付けられており、演奏曲が必ずしもＣＭ使用曲でない場合にも、そのイメージデータにより結び付けられた広告映像が広告映像表示手段に表示されることとなる。これにより広告映像の表示頻度が増加するとともに、演奏曲と広告映像とが共通のイメージにより結び付けられているので違和感がなく、広告をアピールする効果に優れる。
【０００７】
特許文献２は、カラオケ演奏端末において、楽曲歌唱に対して楽曲と関連付けられた宣伝効果映像を背景映
像表示させるものであり、利用者単位で宣伝効果映像の表示回数及び利用者の属性情報に応じてこれに組み込まれた通販アイテム毎にクーポン値が付与され、クーポン積算手段で積算されてクーポン値記憶部に記憶され、所定の通販アイテムを当該システムより購入する際に対応の積算クーポン値に応じた割引価格で表示し、適宜
積算クーポン値に応じた割引価格で発注する構成とする。
【０００８】
特許文献１は、ＣＭに使われている曲がリクエストされた場合、その楽曲によりＣＭの商品や企業が連想されることを狙ったものであるが、歌唱者は必ずしもその商品に関心があってその曲をリクエストしたわけではないことがほとんどである。特許文献２は、通信販売の商品を宣伝する目的であり、利用者にその製品を買ってもらうためのものという位置づけであり、楽曲との関係には触れていない。
【０００９】
一方、歌唱している利用者にとって、何の関係もない商品の宣伝に気を留めることは少ない。商品の宣伝に使用された楽曲を歌唱する場合でも、当該商品に関心を持っているわけではない。むしろ、歌唱する（歌唱した）楽曲に直接関連する情報、具体的には当該楽曲の歌手の新曲やアルバムの紹介、直近のコンサート情報、歌手からのメッセージ、特に歌唱そのものへの歌手からの評価メッセージ等が有効である。
【課題を解決するための手段】
【００１０】
上記の課題を解決するため、本発明の請求項１は、
楽曲の歌唱時に歌詞や背景映像等を画面で表示することができるネットワークカラオケシステムにおいて、
楽曲歌唱時に、当該楽曲に係る情報をお知らせする手段を備えたことを特徴とするネットワークカラオケシステムである。
【００１１】
本発明の請求項２は、
楽曲の歌唱時に歌詞や背景映像等を画面で表示することができ、各楽曲データの属性情報をデータベースで管理するネットワークカラオケシステムにおいて、
歌唱終了後、当該楽曲の特定の条件に従って特定の映像或いはメッセージの少なくとも一つを表示することを特徴とする請求項１記載のネットワークカラオケシステムである。
【００１２】
本発明の請求項３は、楽曲の歌唱時に歌詞や背景映像等を画面で表示することができるネットワークカラオケシステムにおいて、
歌唱終了後に、
楽曲から独立した条件（歌唱得点、時刻、季節など）に従って特定の映像或いはメッセージの少なくとも一つを表示することを特徴とする請求項１記載のネットワークカラオケシステムである。
【００１３】
本発明の請求項４は、請求項１のネットワークカラオケシステムにおいて、
歌唱終了後に、請求項２記載の楽曲の楽曲データの特定の条件と、請求項３記載の楽曲から独立した条件（歌唱得点、時刻、季節など）を組み合わせた条件に従って特定の映像或いはメッセージの少なくとも一つを表示することを特徴とする請求項１記載のネットワークカラオケシステムである。
【発明の効果】
【００１４】
これにより、カラオケ歌唱後に当該楽曲により直接的に関連した情報（アーティストからのメッセージなど）であって、さらに採点結果に連動するなど当該歌唱に関連した内容を表示することで、歌唱者にとってより高いエンタテインメント性を提供することができる。
【図面の簡単な説明】
【００１５】
【図１】利用者の多機能携帯端末に表示された予約楽曲を示した説明図である。
【図２】図１の楽曲演奏時にカラオケ装置のモニタに表示される広告の例である。
【図３】本発明の実現に係るカラオケ楽曲に付随するデータのイメージ図である。
【図４】本発明の請求項３に係るカラオケ装置のモニタに表示される映像の例である。
【図５】本発明の請求項３に係るカラオケ楽曲に付随するデータのイメージ図である。
【発明を実施するための形態】
【００１６】
図１は、カラオケ装置のリモコンとして使用しているときの、多機能携帯端末の画面の例である。
ここでは、歌唱の予約順に楽曲が表示されており、「津軽海峡夏景色」の歌唱が終了したところである。
【００１７】
この時、歌唱後のカラオケのモニタ画面４には、図２のように、歌唱楽曲の歌手のコンサート情報や新譜情報が表示される。
ここの例では、静止画のイメージで記載しているが、歌手本人が登場する動画映像であってもよい。
【００１８】
また、図３は請求項２の例であり、本機能を実現するためのデータ構造の一例である。ここで、楽曲００１には、背景映像ＢＧＶ００１と、関連映像グループＲＶＧ１が、また楽曲００２には、背景映像ＢＧＶ００２と関連映像グループＲＶＧ２がそれぞれ付加されている例である。この例では、楽曲００１を演奏するときには背景映像ＢＶＧ００１と関係する関連映像グループＲＶＧ１の中から選択された映像が表示される。
【００１９】
これにより、楽曲歌唱者が歌い終わったときに、当該楽曲に関連する歌手の新譜情報、コンサート情報の広告が表示されるため、歌唱者の消費行動につながる可能性が高いだけでなく、次の曲が始まるまでの時間を広告として有効に活用することができる。
【００２０】
また図４は、請求項３の実施例で、楽曲演奏後は採点結果に対応したメッセージ映像が、表示される。
【００２１】
図５は、請求項３の場合のデータイメージである。楽曲００１には背景映像グループＢＧＶＧ００１とメッセージグループＭＳＧＧ１００が付加されている。歌唱終了後、楽曲から独立した条件１（季節）条件２（採点結果）に基づいてメッセージグループＭＳＧＧ１００から該当する映像を選択して表示する。
【００２２】
また、請求項４としては、歌唱者に原曲のアーティストから歌唱得点に応じて褒められたり励まされたりするメッセージが伝達されるような実施例が考えられる。
【符号の説明】
【００２３】
１・・多機能携帯端末(リモコン)
２・・予約リスト
３・・歌唱楽曲
４・・カラオケモニタ
５・・ＣＭ表示
【図１】
2016212359.tif 000003
【図２】
2016212359.tif 000004
【図３】
2016212359.tif 000005
【図４】
2016212359.tif 000006
【図５】
2016212359.tif 000007